(57)【要約】  【課題】  電子機器の落下に対する防護性を高め、かつ外観の選択が可能な電子機器用カバー部材および電池蓋を提供する。  【解決手段】  本発明は、電子機器２の操作面３側を開口して当該電子機器２の外側を覆う電子機器用カバー部材１であって、容器型の弾性部材２０を少なくとも備え、その弾性部材２０を、開口面１ａとその反対側にあたる裏面１ｂとを反転可能に構成し、開口面１ａと裏面１ｂの各形態を異なるようにした電子機器用カバー部材１に関する。【選択図】図３
2012199773.tif 000002
【特許請求の範囲】
【請求項１】
電子機器の操作面側を開口して当該電子機器の外側を覆う電子機器用カバー部材であって、
容器型の弾性部材を少なくとも備え、
その弾性部材を、開口面とその反対側にあたる裏面とを反転可能に構成し、
上記開口面と上記裏面の各形態を異なるようにしたことを特徴とする電子機器用カバー部材。
【請求項２】
前記弾性部材は、前記開口面と前記裏面の質感を異なるようにしていることを特徴とする請求項１に記載の電子機器用カバー部材。
【請求項３】
前記弾性部材の底面側に、前記弾性部材よりも高硬度の第一プレートを、さらに備えることを特徴とする請求項１または請求項２に記載の電子機器用カバー部材。
【請求項４】
前記弾性部材は、前記第一プレートの両面を覆っていること特徴とする請求項３に記載の電子機器用カバー部材。
【請求項５】
前記弾性部材の開口側に、前記弾性部材よりも高硬度の第二プレートを、さらに備えることを特徴とする請求項３または請求項４に記載の電子機器用カバー部材。
【請求項６】
前記第二プレートの形状は、閉ループ形状であることを特徴とする請求項５に記載の電子機器用カバー部材。
【請求項７】
請求項１から請求項６のいずれか１項に記載の電子機器用カバー部材が電池収納部の開口面を覆う蓋を兼ねることを特徴とする電池蓋。
【発明の詳細な説明】
【技術分野】
【０００１】
本発明は、電子機器用カバー部材および電池蓋に関するものである。
【背景技術】
【０００２】
最近、携帯電話、携帯型のゲーム機器、電子ブック等の小型電子機器を持ち運ぶ機会が益々増えてきており、それに伴い、小型電子機器を落下させあるいは移動中に何かに接触させて破損する機会も増えている。小型電子機器を落下あるいは何かに接触させた際にその破損から防護する方法の一つに、小型電子機器をクッション性の高いカバーあるいはケースにて覆う方法が考えられる。
【０００３】
例えば、小型電子機器の操作面のみを開口し、側面から裏面までを覆う形状であって、開口部分の伸縮性を高めて、小型電子機器の着脱容易にした電子機器用カバーが知られている（特許文献１を参照）。また、携帯電話の操作面側を開口した比較的硬質の材料（プラスチックあるいは金属）から構成される携帯電話用の容器および保持具も知られている（特許文献２を参照）。
【先行技術文献】
【特許文献】
【０００４】
【特許文献１】特開２００２−０２７０７６号公報
【特許文献２】特開２０００−２０１２１０号公報
【発明の概要】
【発明が解決しようとする課題】
【０００５】
最近のユーザの中には、１つのカバー部材に対して２種類の外観を選択できることを要望するユーザも少なくない。しかし、上記の従来から公知のカバーには、次のような欠点がある。特許文献１に開示されるカバーは、布のような柔らかい材料を縫合して形成されるため、カバーを容易に裏返すことはできるが、破れやすく、かつ落下時の衝撃から電子機器を保護するには十分な強度を有していない。また、特許文献２に開示される容器および保持具（ここでは、「容器」と称する）は、比較的硬質な材料から構成されているため、裏返すことはできない。加えて、電子機器を落下させたときに、容器自体が破損しやすく、繰り返しの使用に耐え得ない。また、容器により衝撃を十分に吸収できず、電子機器が破損する危険性も高い。
【０００６】
本発明は、かかる問題を解決するためになされたものであり、電子機器の落下に対する防護性を高め、かつ外観の選択が可能な電子機器用カバー部材および電池蓋を提供することを目的とする。
【課題を解決するための手段】
【０００７】
上記目的を解決するため、本発明の一形態は、電子機器の操作面側を開口して当該電子機器の外側を覆う電子機器用カバー部材であって、容器型の弾性部材を少なくとも備え、その弾性部材を、開口面とその反対側にあたる裏面とを反転可能に構成し、開口面と裏面の各形態を異なるようにした電子機器用カバー部材である。
【０００８】
本発明の別の形態は、さらに、弾性部材の開口面と裏面の質感を異なるようにした電子機器用カバー部材である。
【０００９】
本発明の別の形態は、さらに、弾性部材の底面側に、弾性部材よりも高硬度の第一プレートを、さらに備える電子機器用カバー部材である。
【００１０】
本発明の別の形態は、さらに、弾性部材により第一プレートの両面を覆った電子機器用カバー部材である。
【００１１】
本発明の別の形態は、さらに、弾性部材の開口側に、弾性部材よりも高硬度の第二プレートを、さらに備える電子機器用カバー部材である。
【００１２】
本発明の別の形態は、さらに、第二プレートの形状を閉ループ形状とした電子機器用カバー部材である。
【００１３】
本発明の一形態は、上述の電子機器用カバー部材が電池収納部の開口面を覆う蓋を兼ねた電池蓋である。
【発明の効果】
【００１４】
本発明によれば、電子機器の落下に対する防護性を高め、かつ外観の選択が可能になる。
【図面の簡単な説明】
【００１５】
【図１】図１は、本発明の第一の実施の形態に係る電子機器用カバー部材を電子機器に取り付けた状態を示す斜視図である。
【図２】図２は、図１に示す電子機器用カバー部材をその開口面側から見た斜視図である。
【図３】図３は、図２に示す電子機器用カバー部材のＡ−Ａ線断面図であって、裏返す前後の状態を示す図である。
【図４】図４は、本発明の第二の実施の形態に係る電子機器用カバー部材をその開口面側から見た斜視図である。
【図５】図５は、図４に示す電子機器用カバー部材のＢ−Ｂ線断面図であって、裏返す前後の状態を示す図である。
【図６】図６は、本発明の第三の実施の形態に係る電子機器用カバー部材をその開口面側から見た斜視図である。
【図７】図７は、図６に示す電子機器用カバー部材のＣ−Ｃ線断面図およびその一部の拡大図であって、裏返す前後の状態を示す図である。
【図８】図８は、本発明の第四の実施の形態に係る電子機器用カバー部材をその開口面側から見た斜視図である。
【図９】図９は、図８に示す電子機器用カバー部材のＤ−Ｄ線断面図およびその一部の拡大図である。
【図１０】図１０は、本発明の第五の実施の形態に係る電子機器用カバー部材をその開口面側から見た斜視図である。
【図１１】図１１は、第一の実施の形態に係るカバー部材を２つ用意し、それらの背面同士を固定したカバー部材の斜視図である。
【図１２】図１２は、図１１に示すカバー部材のＥ−Ｅ線断面図である。
【図１３】図１３は、図１２に示すカバー部材の変形例を示すＥ−Ｅ線断面図と同様の断面図である。
【発明を実施するための形態】
【００１６】
次に、本発明に係る電子機器用カバー部材および電池蓋の各実施の形態について、図面を参照しながら説明する。
【００１７】
＜第一の実施の形態＞
図１は、本発明の第一の実施の形態に係る電子機器用カバー部材を電子機器に取り付けた状態を示す斜視図である。図２は、図１に示す電子機器用カバー部材をその開口面側から見た斜視図である。図３は、図２に示す電子機器用カバー部材のＡ−Ａ線断面図であって、裏返す前後の状態を示す図である。
【００１８】
（１）電子機器用カバー部材の構造
第一の実施の形態に係る電子機器用カバー部材（以後、単に、「カバー部材」と称する）１は、電子機器２の操作面３側を開口して当該電子機器２の外側を覆うことのできる形態を有する。カバー部材１は、底板２１とそれに連接する側壁２２とを有する容器型の弾性部材２０を備え、開口面１ａとその反対側にあたる裏面１ｂとを反転可能に構成されている。開口面１ａおよび裏面１ｂは、例えば、模様、文字、色、質感（例えば、表面粗度あるいは光沢度）等に代表される形態が互いに異なるように形成されている。例えば、開口面１ａを光沢のある表面性状とし、裏面１ｂをつや消し状態の表面性状とすることができる。カバー部材１は、弾性部材２０の底面側に、弾性部材２０よりも高硬度の第一プレート１０を備える。第一プレート１０は、弾性部材２０の底板２１の内部に埋設されている。ただし、第一プレート１０の一部が弾性部材２０から開口面１ａ側あるいは裏面１ｂ側に露出していても良い。
【００１９】
弾性部材２０は、熱可塑性エラストマー、熱硬化性エラストマーなどから好適に構成され、例えば、ウレタン系あるいはシリコーン系エラストマーから特に好適に構成される。第一プレート１０は、好適には樹脂から成り、より好適には、熱可塑性樹脂、熱硬化性樹脂、紫外線硬化性樹脂、電子線硬化性樹脂から成り、その中でも特に好適には、ポリカーボネート系樹脂、ポリエステル系樹脂あるいはポリアミド系樹脂から成る。弾性部材２０および第一プレート１０の厚さは、電子機器２の大きさ、重量等によって適正な厚さに設計可能である。例えば、電子機器２の厚さが８〜２０ｍｍ、短辺が５０〜２００ｍｍ、長辺が８０〜３００ｍｍの範囲にある場合、エラストマー製の弾性部材２０を構成する底板２１および側壁２２の最も厚い部分は、例えば、０．４〜１．４ｍｍ、より好適には０．４〜１．０ｍｍの範囲である。底板２１と側壁２２との境界線近傍、側壁２２同士の境界線近傍、および２つの側壁２２と底板２１との合流点近傍の少なくともいずれか１つは、弾性部材２０を表裏双方向に容易に裏返しできるように、底板２１および側壁２２よりも薄肉に形成する方が好ましい。第一プレート１０は、弾性部材２０の底板２１の内部に埋設される場合、底板２１の厚さよりも０．１〜１ｍｍ程度薄い方が好ましい。
【００２０】
図３に示すように、第一プレート１０を基準に、弾性部材２０を矢印Ｘに示すように裏返すと、開口面１ａは裏面に、裏面１ｂは開口面になる。この結果、カバー部材１の裏面１ｂの形態を、開口面１ａの形態に変更することができる。
【００２１】
この実施の形態に係るカバー部材１は、電子機器２の電池収納部に電池を入れた状態にて電子機器２に取り付けることにより電池蓋２５として機能するものである。このため、電子機器２に、カバー部材１以外に、電池の脱落を防止するための別の蓋を必要としない。ただし、カバー部材１が電池蓋２５を兼ねることは、必須ではない。電子機器２の電池収納部に、専用の電池蓋を備え、その上からカバー部材１を取り付けても良い。以後の各実施の形態においても同様である。
【００２２】
（２）電子機器用カバー部材の製造方法
第一プレート１０は、板材からの切り出しの他、例えば、金型内に溶融樹脂を射出して成形する射出成形法、軟化させた板状の樹脂を金型内で型締めする成形法にても好適に製造できる。また、後者の成形法の場合には、一方の金型側から減圧する方法、一方の金型側から高圧気体を送気する方法、当該減圧と送気とを組み合わせる方法を用いても良い。弾性部材２０は、例えば、第一プレート１０を金型内にセットして、第一プレート１０の周囲を覆うように、弾性部材２０を構成可能な組成物を供給して、当該組成物を架橋させる方法などにより成形できる。かかる成形法を用いると、第一プレート１０と弾性部材２０とを容易に一体化することができる。なお、第一プレート１０と弾性部材２０との密着性を高めるため、第一プレート１０における弾性部材２０との密着領域に、プライマーを塗布してから金型にセットして、弾性部材２０を構成する組成物を金型内に供給しても良い。また、上記の製造方法以外に、第一プレート１０の片面と弾性部材２０とを一体成形後、残る露出面に弾性部材２０と同じ材料から成るシートを貼り付けて、第一プレート１０の周囲を弾性部材２０とシートにより覆うようにしても良い。
【００２３】
＜第二の実施の形態＞
次に、本発明の第二の実施の形態に係る電子機器用カバー部材について説明する。なお、当該第二の実施の形態において、第一の実施の形態と共通する部分については、同じ符号を付し、重複した説明を省略する。
【００２４】
（１）電子機器用カバー部材の構造
図４は、本発明の第二の実施の形態に係る電子機器用カバー部材をその開口面側から見た斜視図である。図５は、図４に示す電子機器用カバー部材のＢ−Ｂ線断面図であって、裏返す前後の状態を示す図である。
【００２５】
第二の実施の形態に係る電子機器用カバー部材（カバー部材）１は、第一の実施の形態と異なり、第一プレート１０を弾性部材２０の底板２１の内部に埋設せず、その片面を露出させている。第二の実施の形態に係るカバー部材１は、さらに、別の第一プレート１０’を、底板２１を挟んで第一プレート１０の反対側に備える。第一プレート１０’は、弾性部材２０よりも高硬度の材料、好適には樹脂から成り、より好適には、熱可塑性樹脂、熱硬化性樹脂、紫外線硬化性樹脂、電子線硬化性樹脂から成り、その中でも特に好適には、ポリカーボネート系樹脂、ポリエステル系樹脂あるいはポリアミド系樹脂から成る。かかる構成により、各第一プレート１０，１０’上にそれぞれ別の模様や文字等を形成しておくと、図５の矢印Ｙに示すようにカバー部材１を表裏双方向に裏返すことにより、各第一プレート１０，１０’上の模様や文字等を交互に視認可能となる。なお、第一プレート１０、第一プレート１０’のいずれか一方のみを弾性部材２０の底板２１に貼り付けても良い。
【００２６】
（２）電子機器用カバー部材の製造方法
弾性部材２０は、金型に弾性部材２０を構成可能な組成物を供給して、当該組成物を架橋させる方法などにより成形できる。第一プレート１０，１０’は、成形後の弾性部材２０の底板２１に接着剤等を介して貼り付け、あるいは溶着するのが好ましい。
【００２７】
＜第三の実施の形態＞
次に、本発明の第三の実施の形態に係る電子機器用カバー部材について説明する。なお、当該第三の実施の形態において、第一の実施の形態と共通する部分については、同じ符号を付し、重複した説明を省略する。
【００２８】
（１）電子機器用カバー部材の構造
図６は、本発明の第三の実施の形態に係る電子機器用カバー部材をその開口面側から見た斜視図である。図７は、図６に示す電子機器用カバー部材のＣ−Ｃ線断面図およびその一部の拡大図であって、裏返す前後の状態を示す図である。
【００２９】
第三の実施の形態に係る電子機器用カバー部材（カバー部材）１は、第一の実施の形態と異なり、弾性部材２０の側壁２２の開口端に、閉ループ形状の第二プレート３０を備える。第二プレート３０は、弾性部材２０よりも高硬度の材料、好適には樹脂から成り、より好適には、熱可塑性樹脂、熱硬化性樹脂、紫外線硬化性樹脂、電子線硬化性樹脂から成り、その中でも特に好適には、ポリカーボネート系樹脂、ポリエステル系樹脂あるいはポリアミド系樹脂から成る。第二プレート３０を備えることにより、カバー部材１の開口側、すなわち電子機器２の操作面３側から電子機器２を落下させた場合の操作面３側の保護をより強化することができる。なお、第二プレート３０は、閉ループ形状ではなく、断片状に側壁２２の開口端に沿って配置しても良い。
【００３０】
第二プレート３０は、電子機器２の操作面３側（すなわち、内側）にわずかに延出して配置される方が好ましい。第二プレート３０を変形可能なツメ部とすると、電子機器２の取り付けや取り外しが容易であると同時に電子機器２を保持しやすい。また、操作面３側から電子機器２を落下した際に、第二プレート３０が最初にその衝撃を受けることになるため、電子機器２を衝撃から保護しやすい。第二プレート３０は、操作面３側に延出して備える場合には、その逆方向（側壁２２の外方向）にも延出している方が好ましい。図７の領域Ｐの拡大図にて示すように、第二プレート３０が側壁２２の内側および外側の両方向に延出して形成されている場合、矢印Ｚに示すようにカバー部材１を裏返しても、第二プレート３０が側壁２２の内側に延出した状態になる。このため、カバー部材１を裏返しても、上述の保護強化を図ることができる。なお、第二プレート３０が側壁２２の外側に延出する長さ（Ｌ１）と内側に延出する長さ（Ｌ２）を同一にすれば、カバー部材１を表裏いずれの方向に裏返しても、同程度の保護機能を発揮できるメリットが有る。なお、カバー部材１は、第二プレート３０のみを備え、第一プレート１０を備えていなくても良い。
【００３１】
（２）電子機器用カバー部材の製造方法
第一プレート１０の製造および弾性部材２０と第一プレート１０との一体化については、第一の実施の形態にて説明した製造方法と同様である。第二プレート３０を弾性部材２０に備える場合には、第一プレート１０と共に弾性部材２０と一体化しても良く、あるいは第一プレート１０と弾性部材２０との一体化の後に、第二プレート３０を弾性部材２０に接着剤等を介して貼り付け、あるいは溶着しても良い。
【００３２】
＜第四の実施の形態＞
次に、本発明の第四の実施の形態に係る電子機器用カバー部材について説明する。なお、当該第四の実施の形態において、第一の実施の形態と共通する部分については、同じ符号を付し、重複した説明を省略する。
【００３３】
（１）電子機器用カバー部材の構造
図８は、本発明の第四の実施の形態に係る電子機器用カバー部材をその開口面側から見た斜視図である。図９は、図８に示す電子機器用カバー部材のＤ−Ｄ線断面図およびその一部の拡大図である。
【００３４】
第四の実施の形態に係る電子機器用カバー部材（カバー部材）１は、操作面３側からの落下に対して電子機器２を保護する趣旨では、第三の実施の形態に係るカバー部材１と共通する。第四の実施の形態に係るカバー部材１は、側壁２２の開口端を操作面３側に延出させている点で、第二プレート３０を操作面３側に延出させている第三の実施の形態に係るカバー部材１と異なる。また、図９の領域Ｑの拡大図に示すように、第四の実施の形態に係るカバー部材１は、側壁２２の開口側であって開口端の下方に、閉ループ形状の第二プレート４０を備える。第二プレート４０は、操作面３側からの衝撃に加え、側壁２２からの衝撃に対しても、電子機器２を保護する機能を有する。ただし、第二プレート４０を底板２１に向けて長く形成すると、カバー部材１の裏返しに対して大きな抵抗になりやすい。したがって、第二プレート４０は、カバー部材１の裏返しの支障にならない程度に、側壁２２の開口側から底板２１の方向に延出しているのが好ましい。また、第三の実施の形態に係るカバー部材１に備える第二プレート３０と、第四の実施の形態に係るカバー部材１に備える第二プレート４０とを合体して、Ｔ字形状の第二プレートを弾性部材２０の開口側に備えても良い。なお、カバー部材１は、第二プレート４０のみを備え、第一プレート１０を備えなくても良い。
【００３５】
（２）電子機器用カバー部材の製造方法
第一プレート１０および第二プレート４０と、弾性部材２０との一体化は、第一の実施の形態にて説明した製造方法と同様、第一プレート１０および第二プレート４０を金型内にセットして、第一プレート１０および第二プレート４０の各周囲を覆うように、弾性部材２０を構成可能な組成物を供給して、当該組成物を架橋させる方法などにより実現できる。
【００３６】
＜第五の実施の形態＞
次に、本発明の第五の実施の形態に係る電子機器用カバー部材について説明する。なお、当該第五の実施の形態において、第一の実施の形態と共通する部分については、同じ符号を付し、重複した説明を省略する。
【００３７】
（１）電子機器用カバー部材の構造
図１０は、本発明の第五の実施の形態に係る電子機器用カバー部材をその開口面側から見た斜視図である。
【００３８】
第五の実施の形態に係る電子機器用カバー部材（カバー部材）１は、第一プレート１０を備えておらず、その点を除く構成を第一の実施の形態に係るカバー部材１と同じ構成とする。すなわち、第五の実施の形態に係るカバー部材１は、弾性部材２０のみから成り、開口面１ａとその反対側にあたる裏面１ｂとを反転可能な構成を有する。開口面１ａおよび裏面１ｂの模様、文字、色、質感等に代表される形態を互いに異なるようにしているため、ユーザは、カバー部材１の表裏を裏返すことにより、異なる形態を楽しむことができる。
【００３９】
（２）電子機器用カバー部材の製造方法
弾性部材２０は、それを構成可能な組成物を金型内に供給して、当該組成物を架橋させる方法などにより成形できる。
【００４０】
＜その他の実施の形態＞
以上、本発明の好適な各実施の形態について説明してきたが、本発明は、上記の各実施の形態に限定されるものではなく、本発明の趣旨を逸脱しない限り、種々変形実施可能である。
【００４１】
図１１は、第一の実施の形態に係るカバー部材を２つ用意し、それらの背面同士を固定したカバー部材の斜視図である。図１２は、図１１に示すカバー部材のＥ−Ｅ線断面図である。
【００４２】
図１２に示すように、第一プレート１０と弾性部材２０（底板２１と側壁２２とから成る形態）とを備えるカバー部材と、第一プレート１０と弾性部材５０（底板５１と側壁５２とから成る形態）とを備える別のカバー部材の互いの背面同士を固定した形状のカバー部材１は、表裏双方向に電子機器２を保持可能である。表裏双方向の開口面１ａ，１ｃを異なる模様、文字、質感に仕上げると、カバー部材１の裏返しができなくても、ユーザは、異なる形態を楽しむことができる。
【００４３】
図１３は、図１２に示すカバー部材の変形例を示すＥ−Ｅ線断面図と同様の断面図である。
【００４４】
図１３に示すカバー部材１は、図１２に示すカバー部材１と異なり、弾性部材２０，５０に共通の第一プレート１０を１枚のみ備える。また、弾性部材５０は、その開口面積を弾性部材２０のそれに比して大きく形成されている。弾性部材２０と弾性部材５０との間で、開口面積以外にも、色や模様を変えることもできる。このように、弾性部材５０と弾性部材２０の両形態を変えることにより、異なる形態の２つの電子機器２を保持することができるのみならず、電子機器２を保持していない状態において、ユーザは、瞬時に、使用目的の電子機器２をどちらに保持すべきかを判断できる。
【００４５】
上記の第一の実施の形態、第二の実施の形態、第三の実施の形態、第四の実施の形態および第五の実施の形態は、特に組み合わせ不能な場合を除き、互いにそれぞれの特徴を一以上組み合わせても良い。例えば、第二の実施の形態と第三の実施の形態、あるいは第二の実施の形態と第四の実施の形態の各組み合わせを行っても良い。
【産業上の利用可能性】
【００４６】
本発明は、電子機器の保護カバーとして利用できる。
【符号の説明】
【００４７】
１    カバー部材（電子機器用カバー部材）
１ａ，１ｃ    開口面
１ｂ    裏面
２    電子機器
３    操作面
１０，１０’    第一プレート
２０    弾性部材
２５    電池蓋
３０，４０    第二プレート
５０    弾性部材
【図１】
2012199773.tif 000003
【図２】
2012199773.tif 000004
【図３】
2012199773.tif 000005
【図４】
2012199773.tif 000006
【図５】
2012199773.tif 000007
【図６】
2012199773.tif 000008
【図７】
2012199773.tif 000009
【図８】
2012199773.tif 000010
【図９】
2012199773.tif 000011
【図１０】
2012199773.tif 000012
【図１１】
2012199773.tif 000013
【図１２】
2012199773.tif 000014
【図１３】
2012199773.tif 000015